(57)【特許請求の範囲】
【請求項１】
ハウジング（１）内でガスタービンの吸音部材を保持するための保持装置において、
多数の吸音部材（２、２′）を固定するための鎖錠機構（１４）が設けられており、前記鎖錠機構（１４）は、ハウジング（１）内に位置固定で配置され、前記吸音部材の一部（２）が取り付けられたガイド部品（１８）及び該ガイド部品に係合可能であり、前記吸音部材の残り（２′）が取り付けられた鎖錠部品（２０）を含み、更に
前記吸音部材（２、２′）の位置決めのための構造要素（３２、３２′）を収容するためにガイド部品（１８）及び／又は鎖錠部品（２０）に空所（３４、３４′）が設けられている吸音部材の保持装置。
【請求項２】
ハウジング（１）に結合され、ガイド部品（１８）及び／又は鎖錠部品（２０）と係合してこれら部品の位置を固定する固定要素（２４、２４′）が設けられていることを特徴とする請求項１記載の保持装置。
【請求項３】
鎖錠部品（２０）が多数の固定突起部（４６）を有し、ガイド部品（１８）がこの固定突起部（４６）を収容するための空所（４４）を有することを特徴とする請求項１又は２記載の保持装置。
【請求項４】
ガイド部品（１８）及び鎖錠部品（２０）がＵ字に形成されていることを特徴とする請求項２又は３記載の保持装置。
【発明の詳細な説明】
本発明はハウジング内でガスタービンの吸音部材を保持するための装置に関する。
ガスタービンの吸気ダクト内には通常吸込まれた空気の流れ方向において空気浄化フィルタ又はダストフィルタの後方に吸音部材が設けられている。この吸音部材は独立した消音器ハウジングの内部に配置されている。この消音器ハウジングは約１１ｍの幅、５ｍの高さ、及び３ｍの深さを持ち、吸気ダクト自体と同様に現場で取付けられる。このために、組立てられた消音器ハウジング内には吸音部材が前後に位置する多数の列に配置される。その際、先ず、第１列に多数の吸音部材が並置され、差込み結合の形式でそれぞれそれらの両端面がハウジング壁に位置決めされる。引き続いて、吸音部材の反対側端面に設けられた突起部を形鋼帯の対応する空所内に嵌入させることによって、この第１列の吸音部材はこれらに共通な形鋼帯によって保持される。この形鋼帯には第２列の吸音部材の端面が差込まれ、その場合この第２列の吸音部材は第１列の吸音部材に対して位置をずらして配置される。第２列の吸音部材の反対側端面に同様に配置された形鋼帯は第２列の吸音部材を定位置に保持する。
形鋼帯を固定するために、この形鋼帯は消音器ハウジングの底部に現場でねじ止め及び／又は溶接される。しかしながらその際の問題点は、このために取付け中に切削作業もしくは溶接残滓を生じる作業が必要であり、しかもこの作業は吸込まれた空気の流れ方向においてダストフィルタの後方で、従って吸気ダクトの清浄空気内で行われなければならないという点である。切屑もしくは溶接飛沫によるこの種の汚染は除去しなければならない。というのは、この種の汚染はガスタービンの運転中に特に羽根を破損させるおそれがあるからである。
形棒を溶接する際、さらに、工場側で既に施され特に腐食を防止するために設けられた保護塗装を傷付けるという問題が発生する。従って、傷付けられた個所は現場で修理しなければならないが、このことは通常この個所での保護作用の低下を来す。
そこで本発明の課題は、上記の欠点を回避すると共に、取付け中の汚染を同時に防止することができしかも吸音部材の確実な固定を保証できるようなガスタービンの吸気ダクト内の吸音部材の保持装置を提供することにある。
この課題は本発明によれば、ハウジング内でガスタービンの吸音部材を保持するための装置において、吸音部材を固定するための鎖錠機構が設けられることによって解決される。
本発明の有利な実施態様においては、鎖錠機構はハウジング内に固定配置されたガイド部品及びこのガイド部品に係合可能である鎖錠部品を含む。それゆえ、１つの列内に吸音部材を保持することは合目的的には２つの作業工程で行われ、その場合先ずこの列の吸音部材がガイド部品によって位置決めされ、引き続いて鎖錠部品によって固定される。
鎖錠機構は取付け及び調整が行われた後にボルトによって固定及びロックされる。しかし鎖錠機構を固定するためには、ハウジングに結合されガイド部品及び／又は鎖錠部品が係合可能である固定要素が設けられると好ましい。さらに鎖錠部品は鎖錠の際にガイド部品の対応する空所内に導入可能である多数の固定突起部を有すると好ましい。固定突起部はガイド部品に、また対応する空所は鎖錠部品に設けることもできる。
吸音部材の構造要素を収容するために合目的的にはガイド部品及び／又は鎖錠部品に空所が設けられる。例えば位置決め突起部の形態で吸音部材に設けられたこの構造要素は第１列に吸音部材を取付ける際にガイド部品の対応する空所に係合させられる。吸音部材によって第２列又はそれぞれの他の列を組立てる際に、それぞれの鎖錠部品における空所は第２列もしくはそれぞれの他の列の吸音部材の対応する構造要素を収容するために使われる。
ガイド部品及び鎖錠部品は合目的的にはＵ字断面に形成される。これによって、取付けられた状態の鎖錠機構のために、製造時に既にハウジング底部に固定された安全又はガイドカムに特に簡単に係合可能であるＨ形鋼が生ずる。
本発明によって得られる利点は、特に、消音器ハウジング内に吸音部材を固定するために鎖錠機構を使用することによって、切削作業又は溶接残滓を生じる作業が取付時には必要とされない点である。むしろ、汚染を生ぜしめしかも時間のかかる全ての作業は、特にハウジング部品に固定要素を取付けることは工場側で行うことができる。これによって取付け時間及び取付け労力が特に少なくなるので有利である。
次に本発明の実施例を図面に基づいて詳細に説明する。
図１は２列の吸音部材を持つ消音器ハウジングの平面断面図である。
図２は鎖錠機構を有する図１の部分ＩＩの拡大図である。
図３は図２に示された鎖錠機構の断面図である。
図４は図２の部分ＩＶの拡大側面図である。
全ての図において互いに対応する部分には同一符号が付されている。
図１に示された消音器ハウジング１はガスタービンの詳細には示されていない吸気ダクトの一部分である。消音器ハウジング１内には多数の吸音部材２、２′が２つの列４、６に配置されている。第１列４の吸音部材２はその平坦にされた端面８がハウジング１内に工場側で配置された例えばガイド板の形態のやっとこ状保持要素１０内に位置決めされている。吸音部材２の反対側の丸形の端面１２は鎖錠機構１４によってハウジング１内に位置決め及び固定されている。鎖錠機構１４は同時に第２列６の吸音部材２′の位置決めにも使われている。第２列６の吸音部材２′の平坦端面８′は別の鎖錠要素１６によってハウジング１内に位置決め及び固定されている。
鎖錠機構１４は図２及び図３に示すようにそれぞれＵ字状断面を有するガイド部品１８及び鎖錠部品２０を含んでいる。このガイド部品１８と鎖錠部品２０は互いに向き合いしかもハウジング１に対して鎖錠される。ハウジング１に対して鎖錠するために、第１列４の吸音部材２間及び第２列６の吸音部材２′間にはハウジング１の底部２２に工場側で固定されたガイド又は安全カム２４、２４′が固定要素として設けられている。
図３に示すように、安全カム２４、２４′は工場側で溶接された固定板２６、２６′と、長さの一部分のみに隙間２８、２８′を形成するために固定板２６、２６′上に工場側で溶接された固定突起３０、３０′とを含んでいる。安全カム２４、２４′の固定板２６、２６′ならびに固定突起３０、３０′は高級鋼から構成されると好ましい。
取付けの際、先ず、第１列４の吸音部材２はその平坦端面８が対応する保持要素１０内に挿入される。引き続いて、鎖錠装置１４の、第１列４の全ての吸音部材２に共通なガイド部品１８が吸音部材２の丸形端面１２に向かって押される。個々の吸音部材２の位置決めのために、その端面１２には位置決め用突起部３２の形態の構造要素が設けられており、この位置決め用突起部３２がガイド部品１８内の対応する空所３４内に嵌入する。同時にガイド部品１８はその下側脚３６が安全カム２４の固定突起３０の下側に設けられた隙間２８内へ押込められる。それによって、第１列４の吸音部材２が位置決めされる。さらにこの第１列４の吸音部材２は、ガイド部品１８が図１に示すようにハウジング１の全幅に亘って延びそれによってその側壁に当接している場合、側方への位置ずれを生じないようにされる。
次に、鎖錠部品２０が取付けられる。このために、鎖錠部品２０は、先ず、そのＵ字状断面の下側脚３８に設けられた空所がこの空所の位置を図２に破線で示すように安全カム２４′に対向配置されるように位置決めされる。その後、鎖錠部品２０は矢印４２の方向へ押され、それにより空所４０は安全カム２４′の横に位置するようになり、Ｕ字状鎖錠部品２０の下側脚３８が固定突起３０′の下でスリット２８′内に位置決めされる。
鎖錠機構１４のガイド部品１８及び鎖錠部品２９の互いの安全のために、ガイド部品１８は鎖錠部品２０に設けられた固定突起部４６を収容するための空所４４を有している。このことが図４に鎖錠状態にて示されている。
ガイド部品１８に対して鎖錠部品２０の鎖錠が行われると、第１列４の吸音部材２がその位置に固定される。第２列６の吸音部材２′の取付けは第１列４の吸音部材２の取付けと同じように行われる。その際、先ず、吸音部材２′の丸形端面１２′に設けられた構造要素３２′が鎖錠部品２０の対応する空所３４′に導入される。このようにして位置決めされた第２列６の吸音部材２′は引き続いて鎖錠要素１６によって同様に鎖錠される。その場合、空所の代わりに、吸音部材２′の平坦端面８′を収容するためのガイド板１０′（図１参照）を対応するガイド部品に設けることもできる。
鎖錠機構１４、１６によって吸音部材２、２′を保持することは、汚染によって惹き起こされる作業を回避すると共に吸音部材２、２′を現場で迅速にしかも僅かな労力で取付けることができるという利点を有する。しかも、鎖錠機構１４、１６の解錠は簡単に可能であり、それゆえ個々の又は全ての吸音部材２、２′は例えば交換のために特に簡単なやり方で取外すことができる。
【図１】
0003884075.tif 000002
【図２】
0003884075.tif 000003
【図３】
0003884075.tif 000004
【図４】
0003884075.tif 000005